(57)【要約】【課題】  アクセサリシューに外部機器が取り付けられていても、内蔵ストロボを使用可能にする。【解決手段】  内蔵ストロボ３０のベース部３１はカメラ本体１に対して第１の回転軸３２で回動可能で、発光部３４はベース部３１に対して第２の回転軸３５で回動可動である。アクセサリシュー９に外部機器が取り付けられた際には、第２の軸３５での回動のみ可能となる。【選択図】  図１５
2012189732.tif 000002
【特許請求の範囲】
【請求項１】
外部機器を装着するためのアクセサリシュー（９）と、
内蔵ストロボ（３０）を有するカメラにおいて、
前記内蔵ストロボ（３０）のベース部（３１）はカメラ本体（１）に対して第１の回転軸（３２）で回動可能に構成されており、
前記内蔵ストロボ（３０）の発光部（３４）は前記ベース部（３１）に対して第２の回転軸（３５）で回動可能に構成されており、
前記アクセサリシュー（９）に外部機器が装着された際には、前記第２の回転軸（３５）での回動のみ可能とすることを特徴とするカメラ。
【請求項２】
前記第２の回転軸（３５）での回動のみでのストロボ撮影において、
ストロボ光が撮影レンズ（２１）でケラレるか否かを判別し、
ケラレると判別された際には警告を行うことを特徴とする請求項１に記載のカメラ。
【請求項３】
前記アクセサリシュー（９）に外部ストロボ（４１）が装着された際には、
前記外部ストロボ（４１）の発光量よりも前記内蔵ストロボ（３０）の発光量を小さくすることを特徴とする請求項１又は請求項２に記載のカメラ。
【請求項４】
内蔵ストロボ（３０）を有するカメラにおいて、
前記内蔵ストロボ（３０）のベース部（３１）はカメラ本体（１）に対して第１の回転軸（３２）でダウン位置とアップ位置の間を回動可能に構成されており、
前記内蔵ストロボ（３０）の発光部（３４）は前記ベース部（３１）に対して第２の回転軸（３５）で回動可能に構成されており、
前記ベース部（３１）がダウン位置かつ、前記発光部（３４）が被写体に向けられた状態にでのストロボ撮影が可能であることを特徴とするカメラ。
【請求項５】
ストロボ光が撮影レンズ（２１）でケラレるか否かを判別し、
ケラレると判別された際には警告を行うことを特徴とする請求項４に記載のカメラ。
【発明の詳細な説明】
【技術分野】
【０００１】
本発明はカメラ、特に光照射機能を備えたカメラに関する。
【背景技術】
【０００２】
写真撮影において、ストロボ撮影では、通常ストロボの照射方向をレンズ光軸とほぼ一致させる、いわゆる直射状態での使用を行うことが多いが、直射状態でのストロボ光を用いた撮影では得られない撮影効果を得るため、ストロボの照射方向を直射状態から変更させ、天井や壁などにストロボ光を反射させた光を用いて撮影を行う、いわゆるバウンス撮影が知られている。
【０００３】
特許文献1では、バウンス撮影が可能なポップアップ式のカメラ内蔵のストロボ機構が開示されている。このストロボ機構では、発光ユニットが発光管に平行な回転軸に対して回転することでバウンス撮影が可能となっている。
【先行技術文献】
【特許文献】
【０００４】
【特許文献１】特開２００６−７８５０６号公報
【発明の概要】
【発明が解決しようとする課題】
【０００５】
一眼レフカメラでは、そのレイアウト上の制約から、カメラの頭部に内蔵ストロボとアクセサリシューを配置することが一般的である。そのため、特許文献１に開示された従来技術では、アクセサリシューに外部機器が装着された場合、内蔵ストロボをポップアップすることができず、ストロボ撮影を行えないという問題があった。
【０００６】
そこで、本発明の目的は、バウンス可能な内蔵ストロボを有するカメラにおいて、アクセサリシューに外部機器が装着された場合であっても、内蔵ストロボ撮影を可能にしたカメラを提供することである。
【課題を解決するための手段】
【０００７】
上記目的を達成するために、本発明のカメラは、
外部機器を装着するためのアクセサリシュー（９）と、
内蔵ストロボ（３０）を有するカメラにおいて、
前記内蔵ストロボ（３０）のベース部（３１）はカメラ本体（１）に対して第１の回転軸（３２）で回動可能に構成されており、
前記内蔵ストロボ（３０）の発光部（３４）は前記ベース部（３１）に対して第２の回転軸（３５）で回動可能に構成されており、
前記アクセサリシュー（９）に外部機器が装着された際には、前記第２の回転軸（３５）での回動のみ可能とすることを特徴とする。
【発明の効果】
【０００８】
本発明によれば、バウンス可能な内蔵ストロボを有するカメラにおいて、アクセサリシューに外部機器が装着された場合であっても、内蔵ストロボ撮影を可能にしたカメラを提供することができる。
【図面の簡単な説明】
【０００９】
【図１】本発明の実施形態に係るカメラの構成を示す側面透視図である。
【図２】本発明の実施形態に係るカメラの構成を示す上面図である。
【図３】本発明の実施形態に係るカメラの構成を示す背面図である。
【図４】本発明の実施形態に係るカメラに外部ストロボが装着された状態を示す図である。
【図５】本発明の実施形態に係るカメラに外部マイクが装着された状態を示す図である。
【図６】本発明の実施形態に係るカメラの内蔵ストロボのポップアップ動作を示すフローチャートである。
【図７】本発明の実施形態に係るカメラの内蔵ストロボのアップ直射状態を示す図である。
【図８】本発明の実施形態に係るカメラの内蔵ストロボのバウンス動作を示すフローチャートである。
【図９】本発明の実施形態に係るカメラの内蔵ストロボのアップ斜めバウンス状態を示す図である。
【図１０】本発明の実施形態に係るカメラの内蔵ストロボのアップ直上バウンス状態を示す図である。
【図１１】本発明の実施形態に係るカメラの内蔵ストロボのダウン直射状態を示す図である。
【図１２】本発明の実施形態に係るカメラの内蔵ストロボのダウン直射状態でのストロボ光のケラレを示す図である。
【図１３】本発明の実施形態に係るカメラの内蔵ストロボのダウン状態での発光部回転動作を示すフローチャートである。
【図１４】本発明の実施形態に係るカメラの警告表示画面を示す図である。
【図１５】本発明の実施形態に係るカメラの内蔵ストロボのダウン直射状態で外部ストロボが装着された状態を示す図である。
【図１６】本発明の実施形態に係るカメラの内蔵ストロボのダウン直射状態で外部マイクが装着された状態を示す図である。
【図１７】本発明の実施形態に係るカメラの内蔵ストロボの発光量制御を示すフローチャートである。
【発明を実施するための形態】
【００１０】
図１は本発明の一実施例に係わる、ストロボ内蔵一眼レフレックスカメラの構成を示す側面透視図であり、図２は上面図、図３は背面図である。
【００１１】
１はカメラ本体であり、その前面には撮像レンズ２１が装着される。
【００１２】
まず、カメラ本体１側の構成について説明する。２はカメラマイコンであり、カメラ本体１の各種動作の制御を行う。３はレリーズボタンである。撮影者がレリーズボタン３を押すことで、カメラ本体１は撮影動作を行う。４は液晶等で構成される表示部であり、撮影に関する各種表示を行う。５は十字キーであり、撮影者が各種設定の選択動作を行うのに使用される。６はセットボタンであり、撮影者が各種設定の決定動作を行うための部材である。７はポップアップボタンであり、後述する内蔵ストロボのポップアップ動作を行うために使用するボタンである。８はバウンスボタンであり、後述する内蔵ストロボのバウンス動作を行うために使用するボタンである。
【００１３】
９はアクセサリシューであり、後述する外部ストロボや外部マイク等の外部機器を接続するために使用される。また、アクセサリシュー９には、外部機器との通信を行うためのアクセサリシュー接点群９ａが備えられている。アクセサリ検知スイッチ１０は、アクセサリシュー９に外部機器が装着されたことを検知する。
【００１４】
１１はカメラ本体１と撮像レンズ１１との通信インターフェイスとなるレンズマウント接点群である。
【００１５】
撮像レンズ２１にはレンズマイコン２２が備えられている。レンズマイコン２２は、レンズマウント接点群１１を介してカメラマイコン２と通信するとともに、撮影レンズ２１の制御を行う。
【００１６】
次に、内蔵ストロボ３０の構成について説明する。内蔵ストロボ３０は後述の３１〜３９の各部材によって構成されている。内蔵ストロボ３０のベース部３１は、カメラ本体１に対して第１の回動軸３２を中心に回動可能に構成されている。３３はポップアップモータであり、ベース部３１の外周とギヤによって連結されている。ポップアップモータ３３の駆動により、ベース部３１の回動動作が行われる。
【００１７】
ベース部３１の先端には、発光部３４が設けられている。発光部３４は、ベース部３１に対して第２の回転軸３５を中心に回動可能に構成されている。３６はバウンスモータであり、ベース部３１の内部に配置され、発光部３４の外周とギヤによって連結されている。バウンスモータ３６の駆動により、発光部３４の回動動作が行われる。
【００１８】
さらに、発光部３４内には、キセノン管３７、反射板３８、フレネルレンズ３２が配置されている。
【００１９】
次に、カメラ本体１に外部機器が取り付けられた状態について、図４および図５を用いて説明する。
【００２０】
図４において、４１は外部ストロボであり、アクセサリシュー９に装着されている。また、外部ストロボマイコン４２は、アクセサリシュー接点群９ａを介してカメラマイコン２と通信するとともに、外部ストロボの制御を行う。また、図５において、５１は外部マイクであり、アクセサリシュー９に装着されている。
【００２１】
図４や図５のように、アクセサリシュー９に外部機器が装着されると、カメラマイコン２は、アクセサリ検知スイッチ１０によって外部機器が装着されたことを検知する。さらに、カメラマイコン２は、アクセサリシュー接点群９ａを介して外部ストロボマイコン４２と通信することで、外部機器がストロボであるのか否かを判別できる。
【００２２】
次に、内蔵ストロボ３０の回動動作について説明する。
【００２３】
図６は内蔵ストロボ３０のポップアップ動作を関するフローチャートである。まず、ステップＳ１０１に示す、ダウン状態（図１、図４、図５の状態）からスタートする。この状態で、ポップアップボタン７が押される（ステップＳ１０２）と、ステップＳ１０３に移行する。ステップＳ１０３において、カメラマイコン２は、アクセサリシューに外部機器が接続されているか否かを、アクセサリ検知スイッチ１０を用いて判別する。アクセサリシュー９に外部機器が接続されている、すなわち、図４や図５の状態であると判断されると、ステップＳ１０１に戻る。アクセサリシュー９に外部機器が接続されていないと判断されると、ステップＳ１０４でポップアップモータ３３を駆動し、ベース部３１の回転動作が実施される。こうすることにより、内蔵ストロボ３０は図７に示されるアップ直射状態（ステップＳ１０５）へと移行する。
【００２４】
上述のようなフローを取ることにより、アクセサリシュー９に外部機器が接続されているときに、内蔵ストロボ３０がポップアップして外部機器と衝突してしまうことを防ぐことができる。
【００２５】
図８は、アップ直射状態からバウンス状態への移行動作を示すフローチャートである。アップ直射状態（ステップＳ２０１）で、バウンスボタン８が押される（ステップＳ２０２）と、ステップＳ２０３でバウンスモータ３６が駆動される。バウンスモータ３６により、発光部３４の回転動作が行われ、図９に示すアップ斜めバウンス状態（ステップＳ２０４）へと移行する。
【００２６】
ステップＳ２０４の状態で、さらにバウンスボタン８が押される（ステップＳ２０５）と、バウンスモータ３６が駆動され、発光部３４の回転動作が行われ、図１０に示すアップ直上バウンス状態（ステップＳ２０７）へと移行する。
【００２７】
この状態でさらにバウンスボタン８が押される（ステップＳ２０８）と、バウンスモータ３６が駆動され、発光部３４の回転動作が行われ、ステップＳ２０１のアップ直射状態へと戻る。
【００２８】
次に、ダウン状態での内蔵ストロボ３０の動作について説明する。
【００２９】
図１１は、図１に示すダウン状態から、発光部３４のみ回動させた状態を表す図である（ダウン直射状態と呼ぶ）。図１２は、図１１の状態でキセノン管３７を発光させ、ストロボ光が照射された状態を表す図である。図１２ａでは、レンズ２１ａの先端でストロボ光がケラレてしまっている。一方、図１２ｂでは、レンズ２１ｂでケラレることなく、ストロボ光が照射されている。つまり、レンズの大きさによって、ストロボ光のケラレが発生することがわかる。カメラマイコン２はレンズマイコン２２と通信することによって、装着されたレンズ２１の種類を判別し、内蔵ストロボ３０の光がケラレるかどうかを判断することができる。
【００３０】
図１３は、内蔵ストロボ３０がダウン状態における、発光部３４の回転動作を示すフローチャートである。
【００３１】
ステップＳ３０１のダウン状態、すなわち、図１の状態から、バウンスボタン８が押される（ステップＳ３０２）と、ステップＳ３０３に進む。ステップＳ３０３において、カメラマイコン２は装着されたレンズ２１の種類を判別し、内蔵ストロボ３０の光がケラレるかどうかを判断する。
【００３２】
ステップＳ３０３において、ケラレが発生すると判断されると、ステップＳ３０４に進む。ステップＳ３０４では、表示部４に、図１４で示される警告表示画面を表示する。ステップＳ３０５において、撮影者は十字キー５を使ってカーソルを移動させ、セットボタン６を使って「ＯＫ」か「キャンセル」を決定する。「ＯＫ」と決定されると、ステップＳ３０６へ進み、「キャンセル」と決定されると、ステップＳ３０１へと戻る。
【００３３】
一方、ステップＳ３０３において、ケラレが発生しないと判断されると、ステップＳ３０６へと進む。
【００３４】
ステップＳ３０６ではバウンスモータ３６を駆動し、図１２で示すダウン直射状態（ステップＳ３０７）へと移行する。
【００３５】
上述のようなフローを取ることによる利点を以下に述べる。
【００３６】
ダウン直射状態はアップ直射状態よりコンパクトであり、撮影者にとって取り回しが良いという利点がある。そのため、仮にケラレが発生する場合でも、トリミング前提での撮影であれば、撮影者にとってメリットとなる。
【００３７】
また、図１５に示す、アクセサリシュー９に外部ストロボ４１が取り付けられている状態や、図１６に示す、アクセサリシュー９に外部マイク５１が取り付けられている状態であっても、内蔵ストロボ３０を使用することができるため、撮影者の使い勝手が向上する。
【００３８】
次に、ダウン直射状態での内蔵ストロボ３０の発光制御について、図１７を用いて説明する。
【００３９】
ステップＳ４０１のダウン直射状態（図１１または図１５または図１６の状態）において、レリーズボタン３が押される（ステップＳ４０２）と、ステップＳ４０３へと移行する。ステップＳ４０３において、カメラマイコン２は、アクセサリシューに外部機器が接続されているか否かを、アクセサリ検知スイッチ１０を用いて判別する。アクセサリシュー９に外部機器が接続されている、すなわち、図１５や図１６の状態であると判断されると、ステップＳ４０４へと進み、外部機器が接続されていない、すなわち、図１１の状態であると判断されると、ステップＳ４０６へと進む。
【００４０】
ステップＳ４０４で、カメラマイコン２は、アクセサリシュー９に接続された外部機器がストロボであるかどうかを、アクセサリシュー接点群９ａを介して判断する。外部機器がストロボであると判断されるとステップＳ４０５へと進み、ストロボではないと判断されるとステップＳ４０６へと進む。
【００４１】
ステップＳ４０５において、カメラマイコン２は内蔵ストロボ３０の発光量は小さく、外部ストロボの発光量は標準に設定する。そして、設定された発光量で撮影を行う（ステップＳ４０７）。
【００４２】
また、ステップＳ４０５では、ストロボは内蔵ストロボ３０のみであるため、内蔵ストロボ３０の発光量を標準に設定する。そして、設定された発光量で撮影を行う（ステップＳ４０７）。
【００４３】
上述のようなフローをとることによる利点を以下に述べる。
【００４４】
アクセサリシュー９に外部ストロボ４１が装着されているときには、内蔵ストロボ３０の発光量を小さく設定するため、仮に撮影レンズ２１による内蔵ストロボ光のケラレが発生したとしても、ケラレによる影の発生を極力抑えることができる。また、図１５に示すように、外部ストロボ２１をバウンス状態とした場合で、被写体が人物である場合には、直射状態の内蔵ストロボ３０をキャッチライト用光源として使用することができる。
【００４５】
一方、アクセサリシュー９に外部ストロボ以外の外部機器が装着されている場合でも、内蔵ストロボ３０を用いてストロボ撮影を行うことができる。
【００４６】
このように、本実施例によれば、バウンス可能な内蔵ストロボを有するカメラにおいて、アクセサリシューに外部機器が装着された場合であっても、内蔵ストロボ撮影を行うことが可能となる。
【００４７】
また、バウンス可能な内蔵ストロボを有するカメラにおいて、アクセサリシューに外部機器が装着されていない場合であっても、内蔵ストロボがダウンした状態で内蔵ストロボ撮影を行うことができる。
【００４８】
さらに、バウンス可能な内蔵ストロボを有するカメラにおいて、外部ストロボと内蔵ストロボを組み合わせた撮影を行うことができる。
【００４９】
以上、本発明の好ましい実施形態について説明したが、本発明はこれらの実施形態に限定されず、その要旨の範囲内で種々の変形及び変更が可能である。
【符号の説明】
【００５０】
１ カメラ本体
２      カメラマイコン
３ レリーズボタン
４ 表示部
５ 十字キー
６ セットボタン
７ ポップアップボタン
８ バウンスボタン
９ アクセサリシュー
９ａ アクセサリシュー接点群
１０ アクセサリ検知スイッチ
１１    レンズマウント接点群
２１    撮影レンズ
２２ レンズマイコン
３０ 内蔵ストロボ
３１ ベース部
３２ 第１の回転軸
３３ ポップアップモータ
３４ 発光部
３５ 第２の回転軸
３６ バウンスモータ
３７ キセノン管
３８ 反射板
３９ フレネルレンズ
４１ 外部ストロボ
４２ 外部ストロボマイコン
５１ 外部マイク
【図１】
2012189732.tif 000003
【図２】
2012189732.tif 000004
【図３】
2012189732.tif 000005
【図４】
2012189732.tif 000006
【図５】
2012189732.tif 000007
【図６】
2012189732.tif 000008
【図７】
2012189732.tif 000009
【図８】
2012189732.tif 000010
【図９】
2012189732.tif 000011
【図１０】
2012189732.tif 000012
【図１１】
2012189732.tif 000013
【図１２】
2012189732.tif 000014
【図１３】
2012189732.tif 000015
【図１４】
2012189732.tif 000016
【図１５】
2012189732.tif 000017
【図１６】
2012189732.tif 000018
【図１７】
2012189732.tif 000019